(57)【要約】      （修正有）【課題】いつ作成された医療用データであるかを一目で容易に認識することができる表示装置を提供する。【解決手段】異なる時情報を有する同一患者の複数の医療用データのうち、一部の期間における医療用データの一覧を示す一覧画像ＬＧを表示部の表示画面３１ａ内に表示させるとともに、前記患者の医療用データの時情報のうち最も古い時から現在までの期間を示す期間画像ＴＧを前記表示画面３１ａ内に収まるように表示させる表示制御部であって、前記表示画面３１ａに表示されている一覧画像ＬＧに対応する医療用データの時情報のうち、最も古い時から最も新しい時までの期間を示す帯状インジケータＩｎを前記期間画像ＴＧに表示させる表示制御部を備える。【選択図】図４
2013228968.tif 000002
【特許請求の範囲】
【請求項１】
異なる時情報を有する同一患者の複数の医療用データのうち、一部の期間における医療用データの一覧を示す一覧画像を表示画面内に表示させるとともに、前記患者の医療用データの時情報のうち最も古い時から現在までの期間を示す期間画像を前記表示画面内に収まるように表示させる表示制御部であって、前記表示画面に表示されている一覧画像に対応する医療用データの時情報のうち、最も古い時から最も新しい時までの期間を前記期間画像に表示させる表示制御部を備えることを特徴とする表示装置。
【請求項２】
前記期間画像は、前記患者の医療用データの時情報のうち最も古い時から、現在までの期間を示す長さを有する長尺状の画像であることを特徴とする請求項１に記載の表示装置。
【請求項３】
前記期間画像における時の間隔は等間隔の長さになっていることを特徴とする請求項２に記載の表示装置。
【請求項４】
前記医療用データの時情報は、前記医療用データの付帯情報に含まれており、前記表示制御部は、前記付帯情報を参照して、前記患者の医療用データの時情報のうち最も古い時及び最も新しい時を特定することを特徴とする請求項１〜３のいずれか一項に記載の表示装置。
【請求項５】
前記表示制御部は、前記表示画面に表示されている一覧画像に対応する医療用データの時情報のうち、最も古い時から最も新しい時までの期間を示すインジケータであって、前記一覧画像のスクロールに伴って移動するインジケータを前記期間画像に表示させることを特徴とする請求項１〜４のいずれか一項に記載の表示装置。
【請求項６】
前記表示制御部は、前記医療用データの時情報が、前記期間画像によって示される期間においていつであるかを示す指示画像を表示画面内に表示させることを特徴とする請求項１〜５のいずれか一項に記載の表示装置。
【請求項７】
前記表示制御部は、前記指示画像を、前記医療用データの数に応じて異なる表示形態で表示させることを特徴とする請求項６に記載の表示装置。
【請求項８】
前記表示制御部は、予め指定された前記医療用データに対応する前記指示画像を、指定されていない前記医療用データに対応する前記指示画像とは異なる表示形態で表示させることを特徴とする請求項６又は７のいずれか一項に記載の表示装置。
【請求項９】
前記表示制御部は、操作者によって前記指示画像が指定されると、少なくとも該指示画像に対応する医療用データの一覧を示す一覧画像を表示させることを特徴とする請求項６〜８のいずれか一項に記載の表示装置。
【請求項１０】
前記医療用データには、文書データ又はモダリティで取得された医用画像データが含まれることを特徴とする請求項１〜９のいずれか一項に記載の表示装置。
【請求項１１】
前記一覧画像は、前記医療用データに基づく医療用画像の縮小画像が、前記時情報に含まれる日付毎にマトリックス状に並んだ画像であることを特徴とする請求項１〜１０のいずれか一項に記載の表示装置。
【請求項１２】
前記一覧画像は、前記医療用データの付帯情報の一覧の画像であることを特徴とする請求項１〜１０のいずれか一項に記載の表示装置。
【請求項１３】
コンピュータに、
異なる時情報を有する同一患者の複数の医療用データのうち、一部の期間における医療用データの一覧を示す一覧画像を表示画面内に表示させるとともに、前記患者の医療用データの時情報のうち最も古い時から現在までの期間を示す期間画像を前記表示画面内に収まるように表示させる表示制御機能であって、前記表示画面に表示されている一覧画像に対応する医療用データの時情報のうち、最も古い時から最も新しい時までの期間を前記期間画像に表示させる表示制御機能
を実行させることを特徴とする表示装置の表示制御プログラム。
【発明の詳細な説明】
【技術分野】
【０００１】
本発明は、患者の医療用データの一覧を示す一覧画像が表示される表示装置及びその表示制御プログラムに関する。
【背景技術】
【０００２】
サーバ（ｓｅｒｖｅｒ）とネットワーク（Ｎｅｔｗｏｒｋ）を介して接続され、このサーバに記憶された医療用データに基づく画像を表示する医用情報表示装置が、例えば特許文献１に記載されている。
【０００３】
前記サーバに記憶された医療用データは、例えばＸ線ＣＴ（Ｃｏｍｐｕｔｅｄ  Ｔｏｍｏｇｒａｐｈｙ）装置で撮影されたＸ線ＣＴ画像やＭＲＩ（Ｍａｇｎｅｔｉｃ  Ｒｅｓｏｎａｎｃｅ  Ｉｍａｇｉｎｇ）装置で撮影されたＭＲＩ画像などの医用画像のデータである。この他、前記医療用データには、診療情報提供書など病院内で用いられる紙の文書がスキャン（ｓｃａｎ）されてデータ化されたものなども含まれる。
【先行技術文献】
【特許文献】
【０００４】
【特許文献１】特開２０１０−１８２０１８号公報
【発明の概要】
【発明が解決しようとする課題】
【０００５】
近年、コンピュータ（ｃｏｍｐｕｔｅｒ）の演算性能及び保存容量の向上や、病院間の連携などにより、従来では困難であった長期間にわたる医療用データを参照することが可能となってきている。ここで、同一患者について、過去に取得された医療用データの一覧を示す一覧画像を表示させる場合がある。このように一覧画像を表示させる場合、長期間にわたる医療用データの一覧を、視認性を確保しつつ全て表示させることは困難である。そこで、ある患者について保存されている医療用データのうち、一部のみの一覧を表示することとなる。
【０００６】
しかし、このように一部のみの一覧を表示した場合、現在表示されている一覧が、いつのものであるかが分かりづらくなってしまう。特に、患者によって、医療用データの作成日はまちまちであるという事情がある。すなわち、定期検査などで定期的に医療用データが作成される場合もあれば、病気などである時期に集中して医療用データが作成される場合もあり、医療用データが作成される期間や頻度は患者によって異なっている。また、同一患者であっても、症状によって医療用データが作成される期間や頻度が異なっている。このような事情が、現在表示されている一覧がいつのものであるかをよりわかりづらくしていることから、ある患者について画面に表示されている医療用データが、いつ作成されたものであるかを、一目で認識できるようにしてほしいとのニーズ（ｎｅｅｄｓ）がある。
【課題を解決するための手段】
【０００７】
上述の課題を解決するためになされた発明は、異なる時情報を有する同一患者の複数の医療用データのうち、一部の期間における医療用データの一覧を示す一覧画像を表示画面内に表示させるとともに、前記患者の医療用データの時情報のうち最も古い時から現在までの期間を示す期間画像を前記表示画面内に収まるように表示させる表示制御部であって、前記表示画面に表示されている一覧画像に対応する医療用データの時情報のうち、最も古い時から最も新しい時までの期間を前記期間画像に表示させる表示制御部を備えることを特徴とする表示装置である。
【０００８】
また、他の観点の発明は、上述の発明において、前記表示制御部は、前記医療用データの時情報が、前記期間画像によって示される期間においていつであるかを示す指示画像を表示画面内に表示させることを特徴とする表示装置である。
【発明の効果】
【０００９】
上記観点の発明によれば、前記患者の医療用データの時情報のうち最も古い時から現在までの期間を示す前記期間画像が、表示画面内に収まるように表示され、この表示画面に表示されている一覧画像に対応する医療用データの時情報のうち、最も古い時から最も新しい時までの期間が前記期間画像に表示されるので、いつ作成された医療用データであるかを一目で容易に認識することができる。
【００１０】
また、他の観点の発明によれば、医療用データの時情報が、前記期間画像によって示される期間においていつであるかを示す指示画像が表示されるので、いつどのような頻度で医療用データが作成されているかを容易に把握することができる。
【図面の簡単な説明】
【００１１】
【図１】実施形態に係る医療用画像表示システムのブロック図である。
【図２】表示端末における表示制御部の構成を示すブロック図である。
【図３】図１に示す医療用画像表示システムの動作を示すフローチャートである。
【図４】一覧画像、期間画像及び作成時指示画像が表示された表示画面の一例を示す図である。
【図５】一覧画像、期間画像及び作成時指示画像が表示された表示画面の他例を示す図である。
【図６】実施形態の変形例において、一覧画像、期間画像及び作成時指示画像が表示された表示画面の他例を示す図である。
【発明を実施するための形態】
【００１２】
以下、本発明の実施形態について図１〜図５に基づいて説明する。図１に示す医療用画像表示システム１は、ネットワークＮを介して接続されたサーバ２と表示端末３とを備えている。前記サーバ２には、ネットワークＮを介して部門システム４が複数接続されている。前記表示端末３は、本発明に係る表示装置の実施の形態の一例である。
【００１３】
前記サーバ２は、記憶部２１、医療用データ出力部２２を有している。前記記憶部２１は、例えばＨＤＤ（Ｈａｒｄ  Ｄｉｓｋ  Ｄｒｉｖｅ）などである。前記記憶部２１には、前記各部門システム４から前記ネットワークＮを介して前記サーバ２に入力された医療用データなどが記憶されている。
【００１４】
前記記憶部２１に記憶されている医療用データは、医療提供施設や検体検査を行なう検査施設などにおいて作成される患者に関係するデータであり、医用画像データや文書データなどである。医用画像データは、前記部門システム４のモダリティ等で取得されたデータであり、例えばＸ線ＣＴ画像、ＭＲＩ画像、超音波画像などの画像データである。文書データは、例えば読影レポート、診療情報提供書、手術同意書や検査同意書などの同意書、問診票、検査結果などのデータである。文書データには、紙の文書をスキャンしてデータ化されたＰＤＦ（Ｐｏｒｔａｂｌｅ  Ｄｏｃｕｍｅｎｔ  Ｆｏｒｍａｔ）データなども含まれる。
【００１５】
前記医療用データには、上述において列記された前記医用画像データや前記文書データの他、心電図などの患者の生体情報の経過記録、その他患者に関係する記録のデータなども含まれる。
【００１６】
前記医療用データは、データ本体の他に付帯情報を含んでいる。付帯情報は、例えば患者の氏名、日付、検査種、文書種などである。付帯情報には、例えばＸ線ＣＴ装置等のモダリティ（ｍｏｄａｌｉｔｙ）など、前記部門システム４において自動的に付与されるものと、操作者が入力することにより付与されるものとが含まれる。
【００１７】
付帯情報における日付は、例えば医療用データの作成日である。付帯情報における日付には、日のみならず、年や時刻などが含まれていてもよい。医用画像データであれば、撮影日を作成日としてもよい。また、文書データであれば、文書を作成した日が作成日であってもよいし、文書をスキャンしてデータ化した日が作成日であってもよい。付帯情報における日付は、本発明における時情報の実施の形態の一例である。
【００１８】
前記医療用データ出力部２２は、前記表示端末３の要求に応じて、前記記憶部２１に記憶された医療用データを前記表示端末３へ出力する。
【００１９】
前記表示端末３は、汎用型のパーソナルコンピュータ（Ｐｅｒｓｏｎａｌ  Ｃｏｍｐｕｔｅｒ）である。この表示端末３は、表示部３１、表示制御部３２、入力部３３、データ要求部３４を有している。
【００２０】
前記表示部３１は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）などである。
【００２１】
前記表示制御部３２は、図２に示すように、一覧画像表示制御部３２１、期間画像表示制御部３２２及び作成時指示画像表示制御部３２３を有している。図示しない記憶部に記憶されたプログラムにより、表示制御部３２における表示制御機能、すなわち前記一覧画像表示制御部３２１、前記期間画像表示制御部３２２及び前記作成時指示画像表示制御部３２３の機能が実行される。詳細は後述する。前記表示制御部３２は、本発明における表示制御部の実施の形態の一例であり、本発明における表示制御機能を実行する。
【００２２】
前記入力部３３は、キーボード（ｋｅｙｂｏａｒｄ）やマウス（ｍｏｕｓｅ）などで構成されている。前記データ要求部３４は、前記入力部３３における操作者の入力に基づいて、前記サーバ２へ医療用データを要求する信号を出力する。
【００２３】
前記部門システム４は、例えばＸ線ＣＴ装置やＭＲＩ装置等のモダリティなどを含む放射線科情報システム（ＲＩＳ：Ｒａｄｉｏｌｏｇｙ  Ｉｎｆｏｒｍａｔｉｏｎ  Ｓｙｓｔｅｍ）や臨床検査システムなどの病院内における部門システムである。
【００２４】
次に、本例の医療用画像表示システム１の動作について図３のフローチャートに基づいて説明する。先ず、ステップＳ１では、操作者が前記表示端末３の入力部３３において、氏名やＩＤなどの患者Ｐの特定情報を入力する。次に、ステップＳ２では、前記データ要求部３４は、前記ステップＳ１で特定情報が入力された前記患者Ｐに関する医療用データを前記サーバ２に対して要求する。
【００２５】
次に、ステップＳ３では、前記サーバ２の医療用データ出力部２２は、前記記憶部２１に記憶されている患者Ｐの全ての医療用データを前記表示端末３に出力する。前記医療用データは、前記患者Ｐについて異なる時に複数作成されているものとする。
【００２６】
次に、ステップＳ４では、前記表示制御部３２は、図４に示すように、一覧画像ＬＧ、期間画像ＴＧ及び作成時指示画像ＩＧを前記表示部３１の表示画面３１ａに表示させる。また、前記表示制御部３２は、前記表示画面３１ａにおいて、前記一覧画像ＬＧ、前記期間画像ＴＧ及び作成時指示画像ＩＧの上方の欄Ｕに、患者の氏名や操作ボタンなどを表示してもよい。
【００２７】
一覧画像ＬＧ、期間画像ＴＧ及び作成時指示画像ＩＧの表示について詳細に説明する。先ず、前記一覧画像ＬＧの表示について説明すると、前記一覧画像表示制御部３２１は、前記サーバ２から入力された医療用データに基づいて、前記一覧画像ＬＧを表示させる。
【００２８】
前記一覧画像ＬＧは、前記文書データに基づく文書の画像ＭＧ１や医用画像データに基づく医用画像（Ｘ線ＣＴ画像やＭＲＩ画像など）ＭＧ２などの医療用画像ＭＧの一覧である。前記一覧画像ＬＧにおいて、前記医療用画像ＭＧは、縮小画像で表示されている。この医療用画像ＭＧを、操作者が前記入力部３３を用いてクリック（ｃｌｉｃｋ）することにより、前記表示制御部３２は、拡大された医療用画像ＭＧを表示させる。
【００２９】
前記一覧画像ＬＧは、マトリックス（Ｍａｔｒｉｘ）状に医療用画像ＭＧを並べた画像である。前記一覧画像ＬＧにおいては、縦方向（画面上下方向）が日付を表わし、横方向（画面左右方向）が医療用画像ＭＧの種類、すなわち文書種を表わす。具体的には、前記一覧画像ＬＧは、医療用データの作成日を示す日付欄Ｄを縦方向に有し、医療用画像ＭＧの種類を示す画像種類欄Ｃを横方向に有している。従って、前記一覧画像ＬＧにおいて、横方向の段は同じ日付に作成された医療用画像であり、縦方向の段は同じ種類の医療用画像である。前記一覧画像ＬＧにおける日付は、例えば付帯情報に基づく。
【００３０】
図４に示された一覧画像ＬＧにおいては、前記患者Ｐについて前記サーバ２に記憶された医療用データに基づく医療用画像ＭＧのうち、一部のみが表示されている。横方向すなわち前記画像種類欄Ｃの方向へのスクロールは、前記入力部３３によってスクロールバーＳＢを操作することにより行なうことができる。一方、縦方向へのスクロールは、前記作成時指示画像ＩＧ上のブロックＢｌをクリックすることにより行なうことができる。詳細は後述する。
【００３１】
次に、前記期間画像ＴＧの表示について説明する。前記期間画像表示制御部３２２は、前記期間画像ＴＧを表示させる。この期間画像ＴＧは、縦方向に長い帯状の画像であり、患者Ｐについて前記サーバ２に記憶されている医療用データの作成日のうち、最も古い日から現在（本日）までの期間ＴＡＬＬを示す長さを有している。前記期間画像ＴＧは、画面内に収まるように表示されており、前記期間ＴＡＬＬが全て画面内に収まっている。
【００３２】
前記期間画像表示制御部３２２は、前記患者Ｐについて前記サーバ２に記憶されている医療用データの作成日のうち最も古い日を、前記付帯情報を参照して特定する。
【００３３】
前記期間画像ＴＧにおいて、時の間隔は、リニアスケールで、すなわち等間隔の長さで示されている。図４では、前記期間画像ＴＧによって示される前記期間ＴＡＬＬは、１９９６年から現在までであり、この期間ＴＡＬＬにおける時の間隔が等間隔の長さで示されている。具体的には、前記期間画像ＴＧは、１９９６年を示す「１９９６」の数字、２０００年を示す「２０００」の数字、２００４年を示す「２００４」の数字、２００８年を示す「２００８」の数字、現在を示す「Ｔｏｄａｙ」の文字を有している。仮に、現在が２０１２年であるとすると、前記期間画像ＴＧにおいては、４年毎に数字及び文字が表示されており、この４年はどの部分においても等間隔の長さになっている。
【００３４】
前記期間画像表示制御部３２２は、前記表示画面３１ａに表示されている一覧画像ＬＧに対応する医療用データの作成日のうち、最も古い日から最も新しい日までの期間ＴＰＡＲＴを示す帯状インジケータＩｎを、前記期間画像ＴＧに表示させる。前記帯状インジケータＩｎは、前記期間画像ＴＧにおける他の部分とは異なる色で表示されている。ただし、前記帯状インジケータＩｎは、前記期間画像ＴＧにおける他の部分とは異なる形態で表示されていればよい。
【００３５】
前記期間画像表示制御部３２２は、前記期間画像ＴＧにおいて、前記期間ＴＰＡＲＴに該当する部分に、前記帯状インジケータＩｎを表示させる。前記期間ＴＰＡＲＴは、前記一覧画像ＬＧにおける一番下の行の日付から一番上の行の日付までの期間である。図４では、前記期間画像ＴＧにおいて、２０１１年１月２８日から２０１１年７月２８日までの期間に前記帯状インジケータＩｎが表示されている。
【００３６】
前記期間画像表示制御部３２２は、前記表示画面３１ａに表示されている医療用画像ＭＧに対応する医療用データの作成日のうち、最も古い日と最も新しい日を、前記付帯情報を参照して特定し、前記帯状インジケータＩｎを表示させる。
【００３７】
前記期間画像表示制御部３２２は、後述するように、前記一覧画像ＬＧのスクロールに伴って、前記インジケータＩｎを移動させる。前記インジケータＩｎは、前記期間画像ＴＧ上を移動する。
【００３８】
上述のように全て画面内に収まるように表示されている前記期間画像ＴＧに、前記帯状インジケータＩｎが表示されることにより、前記表示画面３１ａに表示されている一覧画像ＬＧに対応する医療用データが、前記期間ＴＡＬＬにおいていつ作成されたかを一目で容易に認識することができる。
【００３９】
次に、前記作成時指示画像ＩＧの表示について説明する。前記作成時指示画像表示制御部３２３は、前記作成時指示画像ＩＧを表示させる。この作成時指示画像ＩＧは、前記期間画像ＴＧによって示される期間ＴＡＬＬにおいて、前記医療用データが作成された時を示す横方向に長いブロックＢｌである。すなわち、このブロックＢｌにより、前記期間画像ＴＧによって示される期間ＴＡＬＬにおいて前記医療用データがいつ作成されたかが示されている。前記作成時指示画像ＩＧは、本発明における指示画像の実施の形態の一例である。
【００４０】
このようなブロックＢｌが表示されることにより、いつどのような頻度で医療用データが作成されているかを容易に把握することができる。例えば、前記ブロックＢｌの表示間隔が一定間隔になっている期間においては、定期的な検査によって医療用データが作成されていることを容易に把握することができる。一方、前記ブロックＢｌが集中して表示されている期間においては、病気などが原因で医療用データが短期間に集中して作成されていることを容易に把握することができる。
【００４１】
本例では、前記ブロックＢｌは、一日毎に示されておらず、例えば数日間など、一日よりも長い所定の期間を単位とした作成時期を示している。前記ブロックＢｌは、所定の期間における医療用データの数に応じた表示形態を有していてもよい。例えば、前記ブロックＢｌは、所定の期間内における医療用データの数が多くなるほど黒に近づき、所定の期間内における医療用データの数が少なくなるほど白に近づくようなグレースケール（ｇｒａｙ  ｓｃａｌｅ）で表されていてもよい。
【００４２】
前記作成時指示画像表示制御部３２３は、操作者などによって予めタグ（ｔａｇ）付けされるなどして指定された医療用データに対応するブロックＢｌ′を、指定されていない医療用データに対応するブロックＢｌとは異なる表示形態で表示させてもよい。より詳細には、前記作成時指示画像表示制御部３２３は、前記ブロックＢｌによって示される所定の期間内に、操作者などによって予めタグ（ｔａｇ）付けされるなどして指定された医療用データが含まれている場合、前記ブロックＢｌ′を他のブロックＢｌとは異なる表示形態で表示させてもよい。例えば、前記ブロックＢｌ′は所定の色相を有する色で表示される（図では、前記ブロックＢｌ′はドット（ｄｏｔ）で示されている）。このように、前記ブロックＢｌ′を表示することにより、注目すべき医療用データを容易に見つけることができる。
【００４３】
操作者によって前記ブロックＢｌ，Ｂｌ′がクリックされることにより、前記一覧画像ＬＧを縦方向にスクロールすることができる。具体的には、操作者が前記入力部３３を用いて、前記ブロックＢｌ，Ｂｌ′にポインタを合わせてクリックすると、前記一覧画像表示制御部３２１は、クリックされた前記ブロックＢｌ，Ｂｌ′に対応する期間に含まれる医療用データの医療用画像ＭＧを前記一覧画像ＬＧとして表示させる。前記一覧画像ＬＧとしては、クリックされた前記ブロックＢｌ，Ｂｌ′に近いブロックＢｌ，Ｂｌ′に対応する期間に含まれる医療用データの医療用画像ＭＧが、前記表示画面３１ａに表示されうる限りにおいて表示されてもよい。
【００４４】
例えば、図４に示す状態から、ブロックＢｌ１がクリックされると図５に示すように、このブロックＢｌ１とその近くのブロックＢｌに対応する期間に含まれる医療用データの医療用画像ＭＧが、前記一覧画像ＬＧとして表示される。これに伴い、前記帯状インジケータＩｎも、前記期間画像ＴＧにおいて該当する部分に移動する。
【００４５】
このように、前記ブロックＢｌをクリックすることにより、前記一覧画像ＬＧをスクロールさせて、拡大して表示させたい医療用画像ＭＧを探すことができる。一方で、前記一覧画像ＬＧのスクロールに伴って前記帯状インジケータＩｎが移動するものの、前記期間画像ＴＧは、前記表示画面３１ａ内に収まっており、スクロールしない。従って、スクロールして表示された一覧画像ＬＧにおける医療用画像ＭＧが、どの期間に作成された医療用データに基づくものであるかを容易に把握することができる。
【００４６】
前記期間画像ＴＧにおける時の間隔は等間隔になっているので、前記期間ＴＰＡＲＴに応じて前記帯状インジケータＩｎの長さが変わる。ある期間における医療用データの数が少ないと、前記一覧画像ＬＧにおいて表示される医療用画像ＭＧに対応する医療用データの作成時期が長期間にわたるので、前記期間ＴＰＡＲＴが長くなって前記帯状インジケータＩｎは長くなる。一方、ある期間における医療用データの数が多いと、前記一覧画像ＬＧにおいて表示される医療用画像ＭＧに対応する医療用データの作成時期が短期間になるので、前記期間ＴＰＡＲＴが短くなって前記帯状インジケータＩｎは短くなる。
【００４７】
次に、上記実施形態の変形例について説明する。図６に示すように、前記一覧画像ＬＧは、前記医療用画像ＭＧの一覧ではなく、医療用データの付帯情報の一覧の画像である。本例では、前記一覧画像ＬＧにおいて表示されている付帯情報は、医療用データの作成日、医療用データの文書種、医療用データの作成を依頼した依頼科（検査依頼科）である。医療用データの作成日を示す文字は第一欄Ｘ１に表示されており、医療用データの文書種を示す文字は第二欄Ｘ２に表示されており、依頼科を示す文字は第三欄Ｘ３に表示されている。前記一覧画像ＬＧにおいて、横方向の一行が一つの医療用データである。いずれかの一行がクリックされることにより、対応する医療用データに基づく医療用画像を、前記表示制御部３２が表示させる。
【００４８】
本例においても、前記期間画像表示制御部３２２は、前記表示画面３１ａに表示されている一覧画像ＬＧにおける一番下の行の日付から一番上の行の日付までの期間ＴＰＡＲＴを示す帯状インジケータＩｎを前記期間画像ＴＧに表示させる。
【００４９】
以上、本発明を前記実施形態によって説明したが、本発明はその主旨を変更しない範囲で種々変更実施可能なことはもちろんである。例えば、前記一覧画像ＬＧは一例であり、上述のものに限られるものではない。一例として、前記表示制御部３２は、付帯情報等を参照した検索機能によって特定の医療用データのみを抽出してこれらを一覧画像ＬＧとして表示させるようになっていてもよい。また、図４及び図５に示された前記一覧画像ＬＧの横方向は文書種になっているがこれに限られるものではない。例えば、特に図示しないが、前記一覧画像ＬＧにおいて、横方向に依頼科毎の医療用画像ＭＧが並んでいてもよいし、横方向に医療用データが作成された病院毎の医療用画像ＭＧが並んでいてもよい。
【符号の説明】
【００５０】
３  表示端末（表示装置）
３１ａ  表示画面
３２  表示制御部
ＬＧ  一覧画像
ＴＧ  期間画像
ＩＧ  作成時指示画像
【図１】
2013228968.tif 000003
【図２】
2013228968.tif 000004
【図３】
2013228968.tif 000005
【図４】
2013228968.tif 000006
【図５】
2013228968.tif 000007
【図６】
2013228968.tif 000008